【手続補正書】
【提出日】平成31年3月20日(2019.3.20)
【手続補正１】
【補正対象書類名】明細書
【補正対象項目名】００１２
【補正方法】変更
【補正の内容】
【００１２】
上記の課題を解決する本発明の一態様に係る情報処理装置は、
測定光が走査された被検査物からの戻り光と前記測定光に対応した参照光との干渉光をサンプリングするサンプリング手段の出力から、互いに異なる複数のデータセットを生成するように、前記サンプリング手段による前記干渉光のサンプリングの間隔より長いサンプリング間隔で前記出力に含まれるデータセットを部分的に抽出するデータ抽出手段と、
前記生成された複数のデータセットを用いて、複数の断層像を生成する生成手段と、
前記生成された複数の断層像を用いて、前記被検査物の断層情報を形成する形成手段と、を備えることを特徴とする。
【手続補正２】
【補正対象書類名】特許請求の範囲
【補正対象項目名】全文
【補正方法】変更
【補正の内容】
【特許請求の範囲】
【請求項１】
測定光が走査された被検査物からの戻り光と前記測定光に対応した参照光との干渉光をサンプリングするサンプリング手段の出力から、互いに異なる複数のデータセットを生成するように、前記サンプリング手段による前記干渉光のサンプリングの間隔より長いサンプリング間隔で前記出力に含まれるデータセットを部分的に抽出するデータ抽出手段と、
前記生成された複数のデータセットを用いて、複数の断層像を生成する生成手段と、
前記生成された複数の断層像を用いて、前記被検査物の断層情報を形成する形成手段と、を備えることを特徴とする情報処理装置。
【請求項２】
前記形成手段は、前記生成された複数の断層像の間において相関演算を行って、前記断層情報として血流情報を形成することを特徴とする請求項１に記載の情報処理装置。
【請求項３】
前記形成手段は、前記生成された複数の断層像における各々の画素値の加算平均を行って、前記断層情報として加算平均画像を形成することを特徴とする請求項１に記載の情報処理装置。
【請求項４】
前記形成手段は、前記断層情報として、前記生成された複数の断層像を用いて、モーションコントラストデータを形成することを特徴とする請求項１または２の何れか一項に記載の情報処理装置。
【請求項５】
前記データ抽出手段が前記データセットを部分的に抽出する長いサンプリング間隔は、前記出力からの抽出の際において一定であることを特徴とする請求項１乃至４の何れか一項に記載の情報処理装置。
【請求項６】
前記長いサンプリング間隔は、前記サンプリング手段の出力に含まれるデータのｗ−１個おきの間隔であり、前記複数のデータセットの数はｗ個であることを特徴とする請求項５に記載の情報処理装置。
【請求項７】
前記サンプリング手段からの出力は、前記被検査物における同一走査線を前記測定光でｍ回走査して得られるｍ個の出力を含み、
前記データ抽出手段は、前記ｍ個の出力の各々から前記複数のデータセットを生成することを特徴とする請求項１乃至６の何れか一項に記載の情報処理装置。
【請求項８】
前記測定光と前記参照光とを発する光源は、経時的に光の波長を掃引可能な波長掃引型の光源であり、
前記サンプリング手段は、クロック生成手段により出力されるサンプルクロックに基づいて、前記干渉光を所定の等波数間隔でサンプリングすることを特徴とする請求項１乃至７の何れか一項に記載の情報処理装置。
【請求項９】
前記サンプリング手段は、前記サンプリング手段の出力に含まれるデータの数を倍加させる信号処理を行うことを特徴とする請求項８に記載の情報処理装置。
【請求項１０】
前記サンプリング手段は、前記干渉光を分光する分光手段と、前記分光された光を受光する複数の受光素子とを有し、
前記受光素子の出力に基づいて所定の等波数間隔で前記干渉光をサンプリングすることを特徴とする請求項１乃至７の何れか一項に記載の情報処理装置。
【請求項１１】
前記被検査物の断層情報を表示部に表示させる表示制御手段をさらに備え、
前記形成手段は、前記サンプリング手段の出力からなるデータセットを用いて第一の撮像深さ範囲の断層情報を形成可能であり、
前記サンプリング手段の出力を部分的に抽出して生成された前記複数のデータセットを用いて形成された断層情報であって、前記第一の撮像深さ範囲より小さい第二の撮像深さ範囲の断層情報を形成可能であって、
前記表示制御手段は、前記第一の撮像深さ範囲の断層情報と前記第二の撮像深さ範囲の断層情報との何れかを前記表示部に表示させることを特徴とする請求項１乃至１０の何れか一項に記載の情報処理装置。
【請求項１２】
前記第二の撮像深さ範囲は、前記抽出されたデータセットの数で前記第一の撮像深さ範囲を除して得られる範囲であることを特徴とする請求項１１に記載の情報処理装置。
【請求項１３】
前記表示制御手段は、検者の指示、又は前記表示手段の表示の切り替えに応じて前記表示手段に表示させる断層情報を選択することを特徴とする請求項１１又は１２に記載の情報処理装置。
【請求項１４】
前記被検査物は、被検眼の眼底であって、
前記第一の撮像深さ範囲の断層情報は、４．０ｍｍ以上の深さ範囲の断層情報であり、前記第二の撮像深さ範囲の断層情報は、４．０ｍｍ未満の深さ範囲の断層情報であることを特徴とする請求項１１乃至１３の何れか一項に記載の情報処理装置。
【請求項１５】
前記第二の撮像深さ範囲の断層情報を生成するために用いられる前記生成された複数のデータセットは、前記測定光を前記被検査物上で走査する走査手段による前記測定光の走査角度範囲が４７度未満の条件で得られた干渉光に基づくことを特徴とする請求項１１乃至１４の何れか一項に記載の情報処理装置。
【請求項１６】
前記データ抽出手段は、前記測定光を前記被検査物上で走査する走査手段による前記測定光の走査角度範囲が４７度未満である場合に、前記第二の撮像深さ範囲の断層情報を生成するために用いられる前記複数のデータセットを生成することを特徴とする請求項１１乃至１４の何れか一項に記載の情報処理装置。
【請求項１７】
前記被検査物は、被検眼の眼底であって、
前記測定光にて所定数の走査線から形成される二次元走査パターンで走査する前記眼底の所定範囲を設定する設定手段をさらに備え、
前記設定手段は、前記測定光の走査角度が４７度以上である第一の撮像範囲と４７度未満である第二の撮像範囲とに、前記所定範囲を変更可能であり、
前記形成手段は、前記被検眼の眼球内において４．０ｍｍ以上の撮像深さ範囲の断層情報を形成することを特徴とする請求項１乃至１３の何れか一項に記載の情報処理装置。
【請求項１８】
前記測定光にて所定数の走査線から形成される二次元走査パターンで走査する前記被検査物の所定範囲を設定する設定手段をさらに備え、
前記設定手段は、前記測定光の走査角度範囲が４７度以上である第一の撮像範囲と４７度未満である第二の撮像範囲とに、前記所定範囲を変更可能であることを特徴とする請求項１乃至１６の何れか一項に記載の情報処理装置。
【請求項１９】
測定光が走査された被検査物からの戻り光と前記測定光に対応した参照光との干渉光をサンプリングするサンプリング手段の出力から、互いに異なる複数のデータセットを生成するように、前記サンプリング手段による前記干渉光のサンプリングの間隔より長いサンプリング間隔で前記出力に含まれるデータセットを部分的に抽出する工程と、
前記生成された複数のデータセットを用いて、複数の断層像を生成する工程と、
前記生成された複数の断層像を用いて、前記被検査物の断層情報を形成する工程と、を含むことを特徴とする情報処理装置の制御方法。
【請求項２０】
請求項１９に記載の情報処理装置の制御方法の各工程をコンピュータに実行させることを特徴とするプログラム。